【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
上りデータを送信するサブフレームで用いる狭帯域について、第１サブフレームで用いる第１狭帯域と、前記第１サブフレームに連続する第２サブフレームで用いる第２狭帯域とが異なる場合、
前記第１サブフレームの最後の１シンボルと、前記第２サブフレームの最初の１シンボルをパンクチャしてRetuning timeとして設定する制御部と、
前記第１狭帯域および前記第２狭帯域で前記上りデータを送信する送信部と、
を具備する通信端末。
【請求項２】
下りデータに対するACK/NACKを送信する第１サブフレームで用いる第１狭帯域と、前記第１サブフレームに連続し、上りデータを送信する第２サブフレームで用いる第２狭帯域とが異なる場合、
前記第２サブフレームの最初の２シンボルをRetuning timeとして設定する制御部と、
前記第１狭帯域でACK/NACKを送信し、前記第２狭帯域で前記上りデータを送信する送信部と、
を具備する、通信端末。
【請求項３】
上りデータを送信する第１サブフレームで用いる第１狭帯域と、前記第１サブフレームに連続し、下りデータに対するACK/NACKを送信する第２サブフレームで用いる第２狭帯域とが異なる場合、
前記第１サブフレームの最後の２シンボルをRetuning timeとして設定する制御部と、
前記第１狭帯域で上りデータを送信し、前記第２狭帯域で前記ACK/NACKを送信する送信部と、
を具備する通信端末。
【請求項４】
前記第１サブフレームで用いる第１狭帯域と、前記第２サブフレームで用いる第２狭帯域とが異なる場合、
前記送信部は、前記第１狭帯域および前記第２狭帯域でCQI信号を送信する、
請求項１に記載の通信端末。
【請求項５】
前記制御部は、周波数ホッピングにより、前記第１狭帯域から前記第２狭帯域に切り替える、
請求項１から３のいずれかに記載の端末。
【請求項６】
前記第１狭帯域および前記第２狭帯域は、MTC（Machine Type Communication）端末向けに設定される、
請求項１から３のいずれかに記載の端末。
【請求項７】
前記第１サブフレームで用いる第１狭帯域と、前記第２サブフレームで用いる第２狭帯域とが異なる場合、
前記送信部は、前記第１サブフレームおよび前記第２サブフレームで送信する、下りデータに対するACK/NACKについて、Shortened PUCCH formatを用いて拡散した後、前記第１サブフレームにマッピングされたACK/NACKをShortened PUCCH formatに従い送信し、前記第２サブフレームマッピングされたACK/NACKを先頭１シンボル以外のシンボルにより送信する、
請求項１に記載の通信端末。
【請求項８】
上りデータを送信するサブフレームで用いる狭帯域について、第１サブフレームで用いる第１狭帯域と、前記第１サブフレームに連続する第２サブフレームで用いる第２狭帯域とが異なる場合、
前記第１サブフレームの最後の１シンボルと、前記第２サブフレームの最初の１シンボルをパンクチャしてRetuning timeとして設定し、
前記第１狭帯域および前記第２狭帯域で前記上りデータを送信する、
送信方法。
【請求項９】
下りデータに対するACK/NACKを送信する第１サブフレームで用いる第１狭帯域と、前記第１サブフレームに連続し、上りデータを送信する第２サブフレームで用いる第２狭帯域とが異なる場合、
前記第２サブフレームの最初の２シンボルをRetuning timeとして設定し、
前記第１狭帯域でACK/NACKを送信し、前記第２狭帯域で前記上りデータを送信する、
送信方法。
【請求項１０】
上りデータを送信する第１サブフレームで用いる第１狭帯域と、前記第１サブフレームに連続し、下りデータに対するACK/NACKを送信する第２サブフレームで用いる第２狭帯域とが異なる場合、
前記第１サブフレームの最後の２シンボルをRetuning timeとして設定し、
前記第１狭帯域で上りデータを送信し、前記第２狭帯域で前記ACK/NACKを送信する、
送信方法。
【請求項１１】
前記第１サブフレームで用いる第１狭帯域と、前記第２サブフレームで用いる第２狭帯域とが異なる場合、
前記第１狭帯域および前記第２狭帯域でCQI信号を送信する、
請求項８に記載の送信方法。
【請求項１２】
周波数ホッピングにより、前記第１狭帯域から前記第２狭帯域に切り替える、
請求項８から１０のいずれかに記載の送信方法。
【請求項１３】
前記第１狭帯域および前記第２狭帯域は、MTC（Machine Type Communication）端末向けに設定される、
請求項８から１０のいずれかに記載の送信方法。
【請求項１４】
前記第１サブフレームで用いる第１狭帯域と、前記第２サブフレームで用いる第２狭帯域とが異なる場合、
前記第１サブフレームおよび前記第２サブフレームで送信する、下りデータに対するACK/NACKについて、Shortened PUCCH formatを用いて拡散した後、前記第１サブフレームにマッピングされたACK/NACKをShortened PUCCH formatに従い送信し、
前記第２サブフレームマッピングされたACK/NACKを先頭１シンボル以外のシンボルにより送信する、
請求項８に記載の送信方法。
【請求項１５】
上りデータを送信するサブフレームで用いる狭帯域について、第１サブフレームで用いる第１狭帯域と、前記第１サブフレームに連続する第２サブフレームで用いる第２狭帯域とが異なる場合、
前記第１サブフレームの最後の１シンボルと、前記第２サブフレームの最初の１シンボルをパンクチャしてRetuning timeとして設定する制御処理と、
前記第１狭帯域および前記第２狭帯域で前記上りデータを送信する送信処理と、
を制御する集積回路。
【請求項１６】
下りデータに対するACK/NACKを送信する第１サブフレームで用いる第１狭帯域と、前記第１サブフレームに連続し、上りデータを送信する第２サブフレームで用いる第２狭帯域とが異なる場合、
前記第２サブフレームの最初の２シンボルをRetuning timeとして設定する制御処理と、
前記第１狭帯域でACK/NACKを送信し、前記第２狭帯域で前記上りデータを送信する送信処理と、
を制御する集積回路。
【請求項１７】
上りデータを送信する第１サブフレームで用いる第１狭帯域と、前記第１サブフレームに連続し、下りデータに対するACK/NACKを送信する第２サブフレームで用いる第２狭帯域とが異なる場合、
前記第１サブフレームの最後の２シンボルをRetuning timeとして設定する制御処理と、
前記第１狭帯域で上りデータを送信し、前記第２狭帯域で前記ACK/NACKを送信する送信処理と、
を制御する集積回路。
【請求項１８】
前記第１サブフレームで用いる第１狭帯域と、前記第２サブフレームで用いる第２狭帯域とが異なる場合、
前記送信処理は、前記第１狭帯域および前記第２狭帯域でCQI信号を送信する、
請求項１５に記載の集積回路。
【請求項１９】
前記制御処理は、周波数ホッピングにより、前記第１狭帯域から前記第２狭帯域に切り替える、
請求項１５から１７のいずれかに記載の集積回路。
【請求項２０】
前記第１狭帯域および前記第２狭帯域は、MTC（Machine Type Communication）端末向けに設定される、
請求項１５から１７のいずれかに記載の集積回路。
【請求項２１】
前記第１サブフレームで用いる第１狭帯域と、前記第２サブフレームで用いる第２狭帯域とが異なる場合、
前記送信処理は、前記第１サブフレームおよび前記第２サブフレームで送信する、下りデータに対するACK/NACKについて、Shortened PUCCH formatを用いて拡散した後、前記第１サブフレームにマッピングされたACK/NACKをShortened PUCCH formatに従い送信し、前記第２サブフレームマッピングされたACK/NACKを先頭１シンボル以外のシンボルにより送信する、
請求項１５に記載の集積回路。
【手続補正２】
【補正対象書類名】明細書
【補正対象項目名】発明の名称
【補正方法】変更
【補正の内容】
【発明の名称】通信端末、送信方法及び集積回路
【手続補正３】
【補正対象書類名】明細書
【補正対象項目名】０００１
【補正方法】変更
【補正の内容】
【０００１】
本開示は、通信端末、送信方法及び集積回路に関する。
【手続補正４】
【補正対象書類名】明細書
【補正対象項目名】００２５
【補正方法】変更
【補正の内容】
【００２５】
本開示の一態様は、上りリンク信号（PUSCH又はPUCCH）の伝送特性の劣化を抑えつつ、Retuning timeを確保することができる通信端末、送信方法及び集積回路を提供することである。